(57)【要約】【課題】横押し型プッシュスイッチとその背面のメイン基板との相対高さ位置関係に自由度をもたせ、同一設計の横押し型スイッチを、メイン基板に対する相対高さ位置違えて組み付けることができる小型電子機器用横押し型プッシュスイッチの提供。【解決手段】携帯電話機等の携帯用小型電子機器の外部ケース３０内にその表面と平行にメイン基板３１が固定されているとともに、外部ケース３０の側面に、表面にスイッチ部１１が設けられている横押し型プッシュスイッチＡを固定し、横押し型プッシュスイッチＡの背面に、スイッチ部１１のスイッチ端子に電気接続されたコンタクト片１７ａ，１８ａを縦向き配置に露出させるとともに、メイン基板３０に、その表面に横向きに出入自在な弾性接触具３６を実装し、メイン基板３０及び横押し型プッシュスイッチＡをそれぞれ外部ケース３０に固定することによって、コンタクト片に弾性接触具が弾性接触させる。【選択図】  図５
2011253720.tif 000002
【特許請求の範囲】
【請求項１】
携帯電話機等の携帯用小型電子機器の外部ケース内にその表面と平行にメイン基板が固定されているとともに、該外部ケースの側面に、表面にスイッチ部が設けられている横押し型プッシュスイッチを固定し、該横押し型プッシュスイッチと前記メイン基板表面のプリント配線とを電気接続する携帯用小型電子機器におけるメイン基板と横押し型プッシュスイッチとの接続構造において、
前記横押し型プッシュスイッチの背面に、前記スイッチ部のスイッチ端子に電気接続されたコンタクト片を縦向き配置に露出させるとともに、前記メイン基板に、その表面に横向きに出入自在な弾性接触具を実装し、
該メイン基板及び横押し型プッシュスイッチをそれぞれ前記外部ケースに固定することによって、前記コンタクト片に弾性接触具が弾性接触されるようにしたことを特徴としてなる携帯用小型電子機器におけるメイン基板と横押し型プッシュスイッチとの接続構造。
【請求項２】
前記弾性接触具が、メイン基板表面に横向きに実装されたポゴピンである請求項１に記載の携帯用小型電子機器におけるメイン基板と横押し型プッシュスイッチとの接続構造。
【請求項３】
前記弾性接触具が、メイン基板表面に横向きに実装された弾性接触バネである請求項１に記載の携帯用小型電子機器におけるメイン基板と横押し型プッシュスイッチとの接続構造。
【発明の詳細な説明】
【技術分野】
【０００１】
本発明は、主として携帯電話機等の小型の携帯電子機器において、薄型箱状をした機器外部ケースの側面に取り付ける小型電子機器用横押し型プッシュスイッチとメイン基板との接続構造に関する。
【背景技術】
【０００２】
従来、携帯電話機等の小型携帯電子機器には、薄型箱状をした機器外部ケースの表面にテンキーや文字入力用及び各種操作用のプッシュスイッチが備えられている他、機器外部ケースの側面即ち厚さ方向の面にも、各種のプッシュスイッチが使用されている。この機器外部ケース側面のプッシュスイッチは、機器外部ケース内に収容したプリント配線メイン基板（以下「メイン基板」と記す）に対し、その表面と直交する方向に操作する横押し型となっている。
【０００３】
従来のこの種の横押し型プッシュスイッチにおけるメイン基板との接続は、例えば、図７に示すように、メイン基板１の表面にスイッチ２を実装し、その操作部４を機器外部ケース３の側面の窓孔から露出させるようにする方式（例えば特許文献１）や、図８に示すようにスイッチ２を機器外部ケース３の側面枠に対し、操作部４を露出させた状態で固定し、スイッチケースの背面に突出させた弾性接触バネからなる接続端子５を、メイン基板表面にプリント配線した接続パッド６の表面に接触させる方式（例えば特許文献２図４）がある。
【先行技術文献】
【特許文献】
【０００４】
【特許文献１】特開２００４−７９２２０号公報
【特許文献２】特開２００７−１４９４９１号公報
【発明の概要】
【発明が解決しようとする課題】
【０００５】
この種の従来の小型電子機器用に使用されている横押し型プッシュスイッチにおいては、電子機器内のメイン基板に接続させる場合において、図７に示すようにメイン基板表面に実装する場合は、スイッチ全体がメイン基板の表面側に固定されるため、メイン基板上面側の空間が、該スイッチの高さ分だけ必要となり、このため機器外部ケースの薄型化に限界があった。
【０００６】
一方、図８に示すように弾性接触バネからなる接続端子をスイッチケースの背面に突出させ、これをメイン基板の表面のパッドに圧接させるものにあっても、接続端子の突設位置が、スイッチケースの上下何れかの面から突出させているため、メイン基板に対する相対位置が上下の何れか側に偏ったものとなっていた。このため、横押し型プッシュスイッチの上下方向の中央部分にメイン基板を位置させることができないという問題があった。
【０００７】
更に、上記何れの場合においても、メイン基板と横押し型スイッチとの相対高さ位置関係は、これを使用する小型電子機器毎の設計によって決定されるものであり、自由度がなく、横押し型スイッチ毎に、メイン基板との相対位置関係が定まっており、同一製品をメイン基盤に対する異なった相対高さ位置において接続させることができず、このため、小型電子機器毎に、これに対応させた横押し型スイッチを使用する必要があり、コスト削減の限界となるという問題があった。
【０００８】
本発明は、このような従来の問題に鑑み、横押し型プッシュスイッチの中央高さ位置にメイン基板を位置させた状態で接続させることができるとともに、該スイッチとその背面のメイン基板との相対高さ位置関係に自由度をもたせ、同一設計の横押し型スイッチを、メイン基板に対する相対高さ位置違えて組み付けることができる小型電子機器用横押し型プッシュスイッチの提供を目的としてなされたものである。
【課題を解決するための手段】
【０００９】
上述の如き従来の問題を解決し、所期の目的を達成するための請求項1に記載の発明の特徴は、携帯電話機等の携帯用小型電子機器の外部ケース内にその表面と平行にメイン基板が固定されているとともに、該外部ケースの側面に、表面にスイッチ部が設けられている横押し型プッシュスイッチを固定し、該横押し型プッシュスイッチと前記メイン基板表面のプリント配線とを電気接続する携帯用小型電子機器におけるメイン基板と横押し型プッシュスイッチとの接続構造において、前記横押し型プッシュスイッチの背面に、前記スイッチ部のスイッチ端子に電気接続されたコンタクト片を縦向き配置に露出させるとともに、前記メイン基板に、その表面に横向きに出入自在な弾性接触具を実装し、該メイン基板及び横押し型プッシュスイッチをそれぞれ前記外部ケースに固定することによって、前記コンタクト片に弾性接触具が弾性接触されるようにしたことにある。
【００１０】
請求項２に記載の発明の特徴は、請求項１の構成に加え、前記弾性接触具が、メイン基板表面に横向きに実装されたポゴピンであることにある。
【００１１】
請求項３に記載の発明の特徴は、請求項１の構成に加え、前記弾性接触具が、メイン基板表面に横向きに実装された弾性接触バネであることにある。
【発明の効果】
【００１２】
本発明に係る携帯用小型電子機器におけるメイン基板と横押し型プッシュスイッチとの接続構造においては、横押し型プッシュスイッチの背面に、そのスイッチ部のスイッチ端子に電気接続されたコンタクト片を縦向き配置に露出させるとともに、携帯用小型電子機器内のメイン基板に、その表面に横向きに出入自在な弾性接触具を実装し、該メイン基板及び横押し型プッシュスイッチをそれぞれ前記外部ケースに固定することによって、前記コンタクト片に弾性接触具が弾性接触されるようにしたことにより、横押し型プッシュスイッチに対するメイン基板の相対高さは、コンタクト片の長さ方向に任意に選定することができ、横押し型プッシュスイッチの汎用性が高くなり、携帯用小型電子機器の小型化に寄与すると同時に、コスト削減が可能となる
【００１３】
本発明において、前記弾性接触具として、メイン基板表面に横向きに実装されたポゴピンを用いることにより、メイン基板と横押し型プッシュスイッチとの安定した接続が得られる。
【００１４】
また、本発明において、前記弾性接触具として、メイン基板表面に横向きに実装された弾性接触バネを使用することにより、コスト減が可能となる。
【図面の簡単な説明】
【００１５】
【図１】本発明における横押し型プッシュスイッチの一例の正面図である。
【図２】同、背面図である。
【図３】同、平面図である。
【図４】図１中のＡ−Ａ線断面図である。
【図５】図１に示す横押し型プッシュスイッチを使用した携帯用小型電子機器におけるメイン基板と横押し型プッシュスイッチとの接続構造の一例を示す縦断面図である。
【図６】同、他の例を示す縦断面図である。
【図７】従来の携帯用小型電子機器におけるメイン基板と横押し型プッシュスイッチとの接続構造の一例を示す縦断面図である。
【図８】同、他の例を示す縦断面図である。
【発明を実施するための形態】
【００１６】
次に、本発明の実施の態様を、図１〜図６に示した実施例に基づいて説明する。
【００１７】
図において符合Ａは横押し型プッシュスイッチであり、１０は横押し型プッシュスイッチＡを構成する矩形形状をした平板状のモールドケースである。このモールドケース１０の前面が平らなスイッチ操作面となっている。モールドケース１０には、その前面側にスイッチ部１１が組み込まれている。
【００１８】
スイッチ部１０は、所謂メタルタクトスイッチを構成しているものであり、モールドケース１０の前面を窪ませた形状に形成したハウジング部１２、該ハウジング部１２の底面の中心部分に露出させた第一スイッチ端子１３、該底面の周縁部に露出させた第二スイッチ端子１４、ハウジング部１２内に嵌め込んだドーム状接触片１５によって構成され、ドーム状接触片１５には、その中央部前面に操作用突起１５ａが一体に備えられている。ハウジング部１２の開口部は、板状のカバー１６によって閉鎖され、該カバー１６の中心の貫通開口から前記操作用突起１５ａが突出されている。
【００１９】
このスイッチ部１１は、ドーム状接触片１５の常態時には、該接触片１５の周縁部は第二スイッチ端子１４に接触しているが、該接触片１５の中央部分が第一スイッチ端子１３から離れた状態にある。そして、操作用突起１６を押圧操作することによってドーム状接触片１５が反転し、該接触片１５の周縁部は第二スイッチ端子１４に接触した状態で該接触片１５の中央部分が第一スイッチ端子１３に接触するようになっている。
【００２０】
各スイッチ端子部１１，１２は、モールドケース１０にインサート成型によってその内部に埋設したリード片１７，１８に一体に突設されており、各リード片１７，１８には縦長の平板状をしたコンタクト片１７ａ，１８ａが一体に備えられている。
【００２１】
コンタクト片１７ａ，１８ａは、モールドケース１０の背面に、縦向きに形成された凹溝２０，２０の溝底部に縦向きに露出されている。
【００２２】
このように構成される横押し型プッシュスイッチＡの使用に際しては、図５に示すように、外部ケース３０内に、該ケースの表面と平行にメイン基板３１が固定されている携帯電話機等の携帯用小型電子機器に対し、外部ケース３０の側面にモールドケース１０の表面側を露出させ、該モールドケース１０の高さ方向を外部ケース３０の厚さ方向に向けて固定する。
【００２３】
一方、メイン基板３１には、その表面に横向きに出入自在な弾性接触具を実装しておく。この弾性接触具としては、図５に示すように絶縁ケース３５から横向きに突出され、バネによって突出方向に付勢させたポゴピン３６を使用することができる。また、この他、図６に示すように、メイン基板３１の表面に半田付けによって直接的に実装した弾性接触バネ３７を弾性接触具として用いることができる。
【００２４】
そして、メイン基板３１と横押し型プッシュスイッチＡとをそれぞれ外部ケース３０に固定することによって、メイン基板３１の側面に突出している弾性接触具（３６又は３７）を横押し型プッシュスイッチＡの背面に露出しているコンタクト片１７ａ，１８ａに弾性接触させる。尚、この時の接触圧は、各弾性接触具の突出方向の不勢力によって得られるようにしておく。
【００２５】
このように、横押し型プッシュスイッチＡの背面に縦向きにコンタクト片１７ａ，１８ａを露出させておき、これにメイン基板３１の表面に実装されてその側面側に突出した弾性接触具を弾性接触させるようにしたことにより、横押し型プッシュスイッチＡに対するメイン基板３１の相対高さは、コンタクト片１７ａ，１８ａの長さ方向に任意に選定することができ、横押し型プッシュスイッチＡの汎用性が高くなり、携帯用小型電子機器の小型化に寄与すると同時に、コスト削減が可能となる。
【符号の説明】
【００２６】
Ａ  横押し型プッシュスイッチ
１０  モールドケース
１０ａ  凹部
１１  スイッチ部
１２  ハウジング部
１３  第一スイッチ端子
１４  第二スイッチ端子
１５  ドーム状接触片
１５ａ  操作用突起
１６  カバー
１７，１８  リード片
１７ａ，１８ａ  コンタクト片
２０  凹溝
３０  外部ケース
３１  メイン基板
３５  絶縁ケース
３６  ポゴピン
３７  弾性接触バネ
【図１】
2011253720.tif 000003
【図２】
2011253720.tif 000004
【図３】
2011253720.tif 000005
【図４】
2011253720.tif 000006
【図５】
2011253720.tif 000007
【図６】
2011253720.tif 000008
【図７】
2011253720.tif 000009
【図８】
2011253720.tif 000010